(57)【要約】【課題】  従来のネットワーク電話装置では、公衆電話回線との接続機能を備えようとすると、公衆電話回線を介して提供される各種サービスに対応するために、複雑な制御を行なわなければならなかった。【解決手段】  公衆電話回線ＰＴとの間で信号を槍とするＤＡＡ５０と電話機６０との信号のやり取りを行なうＳＬＩＣ７０とを、その出力側のＰＣＭ信号の部分で直接接続する回路を用意する。公衆電話回線ＰＴ側から着信したことを、ＤＡＡ５０から出力されるＰＣＭ信号に基づいてスルーモードコントローラ４９により検出し、そのコントロール信号を用いて、ＰＣＭ信号の回路を切り換える。このとき、ＤＡＡ５０とＳＬＩＣ７０とが直接接続された状態となるので、公衆電話回線ＰＴを介して提供される各種サービスに必要な信号の解析や応答は、ＳＬＩＣ７０の電話ポート６１に接続された電話機６０側が処理する。【選択図】  図１
2005217512.tif 000002
【特許請求の範囲】
【請求項１】
ネットワークを介して音声信号のパケットをやりとりして、ネットワークを介した音声通話を行なうネットワーク電話装置であって、
該公衆電話回線を介して提供されるサービスおよび音声信号を処理可能な電話装置が接続され、該電話装置との間で、少なくとも音声信号の入出力を行う電話装置用信号処理回路と、
該電話装置用信号処理回路と前記ネットワークとの間で、前記電話装置が取り扱う音声信号と前記ネットワーク側とやりとりされる音声信号のパケットとの変換処理を行なうパケット変換処理回路と、
前記公衆電話回線に接続され、該公衆電話回線を介して送信される信号を受け取ると共に、該公衆電話回線との間で、音声信号の入出力を行う回線側信号処理回路と、
該回線側信号処理回路が受け取った信号を解析して、前記公衆電話回線を介して提供されるサービスを指定する信号またはサービスの開始を告知する信号を検出する検出回路と、
該検出回路により前記信号の一つが検出されたとき、前記回線側信号処理回路と前記電話装置用信号処理回路とを、無接点回路により接続し、前記公衆電話回線側と前記電話装置とを直接接続する接続回路と
を備えたネットワーク電話装置。
【請求項２】
請求項１記載のネットワーク電話装置であって、
前記検出回路が検出する前記サービスは、フリーダイヤル、ファクシミリ通信網、ナンバーディスプレイ、ネームディスプレイ、Ｌモードのうちの少なくとも一つであるネットワーク電話装置。
【請求項３】
請求項１記載のネットワーク電話装置であって、
前記検出回路は、前記公衆電話回線と前記電話装置とを接続した状態で提供される前記サービスの終了を検出するサービス終了検出手段を備え、該サービスの終了が検出されたとき、前記無接点回路を介した前記回線側信号処理回路と前記電話装置用信号処理回路との接続を解除するネットワーク電話装置。
【請求項４】
請求項１記載のネットワーク電話装置であって、
停電などの緊急時に、前記公衆電話回線と前記電話装置とを直接接続する回路を形成する接点回路を備えたネットワーク電話装置。
【発明の詳細な説明】
【技術分野】
【０００１】
本発明は、ネットワークを介して音声信号のパケットをやりとりして、ネットワークを介した音声通話を行なうネットワーク電話装置に関する。
【背景技術】
【０００２】
近年、ネットワーク、特にインターネットを利用して音声信号を直接やりとりするいわゆるＩＰ電話機が広く普及し始めており、各種の構成が提案されている（例えば、下記特許文献１参照）。こうしたＩＰ電話機は、インターネットでは、ＶｏＩＰ（Ｖｏｉｃｅ  ｏｖｅｒ  Ｉｎｔｅｒｎｅｔ  Ｐｒｏｔｏｃｏｌ）として仕様が定められており、送受話機能を備えた電話装置とネットワークとの間で、音声信号−パケットの交換を行なうことで、ネットワークを介した音声のやりとりを実現している。また、ＩＰ電話機は、その性質上緊急電話が使用できないように規定されているため、家庭用にＩＰ電話機を使用する場合、通常の電話回線と併用することが必要になる。この場合、通常の電話回線を介した通話などのサービスとネットワークを介したＩＰ電話機としてのサービスとを別々の電話機により提供することは、使用者にとって不便なため、ＩＰ電話機に公衆電話回線への接続機能、いわゆるゲートウェイとしての機能を持たせ、一台の装置で、両方のサービスに対応させることが行なわれている。従って、こうしたゲートウェイ機能を有するＩＰ電話機では、公衆電話を回線を介して提供されるサービスにも、対応することが求められる。
【０００３】
【特許文献１】特願平１０−２６１５１８公報
【０００４】
こうしたゲートウェイの働きとして必要になる動作は、ＩＰ電話機の着信・発信、通常の電話回線からの着信・発信の４つの回線接続状態が考えられる。これらに加えて、通常の電話回線を介して提供される各種サービス、例えば、緊急電話やフリーダイヤル、あるいはファクシミリ通信網との接続などのサービスに対応する必要がある。このほか、電話局からの着信サービスとして、通話以外に、ナンバーディスプレイ、ネームディスプレイ、Ｌモードなどのサービスも存在する。
【０００５】
そこで、従来のＩＰ電話機でこれらのサービスに対応しようとすると、公衆電話回線と接続する接続回路において、これらのサービスの提供について判断し、それぞれのサービスを特定する信号に応答したり、必要な信号を、電話装置側に提供するといった処理を行なっている。
【発明の開示】
【発明が解決しようとする課題】
【０００６】
しかしながら、公衆電話回線を介して提供されるサービスは上述した通り多岐に亘るため、これらをすべて解析して応対するには、複雑な回路またはプログラムを用意しなければならないという問題があった。もとより、リレーなどの接点回路を用意して、公衆電話回線と電話装置とを直接接続すれば、こうした公衆電話回線を介したサービスをＩＰ電話機により解釈する必要はない。しかし、リレーなどの接点を用いて接続を切り替えると、回線に対するインピーダンスが変化してしまい、公衆電話回線に接続された交換機が誤動作してしまう。従って、こうしたリレー接点の切り替えによる直接接続は、緊急時の緊急電話としての回路構成以外は許されていなかった。
【課題を解決するための手段】
【０００７】
上記課題の少なくとも一部を解決する本発明のネットワーク電話装置は、
ネットワークを介して音声信号のパケットをやりとりして、ネットワークを介した音声通話を行なうネットワーク電話装置であって、
該公衆電話回線を介して提供されるサービスおよび音声信号を処理可能な電話装置が接続され、該電話装置との間で、少なくとも音声信号の入出力を行う電話装置用信号処理回路と、
該電話装置用信号処理回路と前記ネットワークとの間で、前記電話装置が取り扱う音声信号と前記ネットワーク側とやりとりされる音声信号のパケットとの変換処理を行なうパケット変換処理回路と、
前記公衆電話回線に接続され、該公衆電話回線を介して送信される信号を受け取ると共に、該公衆電話回線との間で、音声信号の入出力を行う回線側信号処理回路と、
該回線側信号処理回路が受け取った信号を解析して、前記公衆電話回線を介して提供されるサービスを指定する信号またはサービスの開始を告知する信号を検出する検出回路と、
該検出回路により前記サービスの一つが検出されたとき、前記回線側信号処理回路と前記電話装置用信号処理回路とを、無接点回路により接続し、前記公衆電話回線側と前記電話装置とを直接接続する接続回路と
を備えたことを要旨としている。
【０００８】
かかるネットワーク電話装置によれば、回線側信号処理回路が受け取った信号を解析して、前記公衆電話回線を介して提供されるサービスまたはサービスの開始を告知する信号を検出すると、公衆電話回線との間で音声信号の入出力を行う回線側信号処理回路と電話装置との間で少なくとも音声信号の入出力を行う電話装置用信号処理回路とを、無接点回路により接続し、公衆電話回線側と電話装置とを直接接続する。従って、その後は、公衆電話回線側と電話装置は、直接信号のやり取りを行なうことができ、公衆電話回線を介した各種サービスを、電話装置側の機能を利用して行なうことができる。こうしたサービスの開始を告知する信号としては、例えば回線の極性を反転する信号などがある。また、例えばファックス通信であれば、その開始において出力されるＣＮＧ信号などを用いてサービスの開始を検出することも容易である。また、この他、各種サービスについて予め定められたサービス開始を示す信号を用いることできる。
【０００９】
こうしたネットワーク電話装置において、検出するサービスは、フリーダイヤル、ファクシミリ通信網、ナンバーディスプレイ、ネームディスプレイ、Ｌモードのうちの少なくとも一つを想定することができる。
【００１０】
更に、公衆電話回線と電話装置とを接続した後、電話装置が対応したサービスの終了を検出するサービス終了検出手段を備え、サービスの終了が検出されたとき、無接点回路を介した回線側信号処理回路と電話装置用信号処理回路との接続を解除するものとすれば、サービスの終了にも容易に対応することができる。
【００１１】
また、こうしたネットワーク電話装置には、停電などの緊急時に、公衆電話回線と電話装置とを直接接続する回路を形成する接点回路を備えることも好適である。接続回路による接続には、電気的に動作する回路の働きが必要であるため、停電時には、直接接点回路により、両者を接続する構成を採用することで、停電時などの緊急時に電話装置を使用することが可能となる。
【発明を実施するための最良の形態】
【００１２】
本発明を実施する形態について、実施例に則して説明する。図１は、本発明の一実施例としてのネットワーク電話装置１０の内部構成を示すブロック図である。図示するように、このネットワーク電話装置１０は、全体の制御を司るマイクロプロセッサユニット（ＭＰＵ）２０、インターネットとの間でデータのやり取りを行なうネットワークインタフェース３０、ＬＡＮの接続を行なうハブやＮＡＴなど機能を実現するＬＡＮコントローラ３５、音声信号の処理を専用に行なうデジタルシグナルプロセッサ（ＤＳＰ）４０、公衆電話回線用のインタフェースモジュールであるデータアクセスアレンジメント回路（ＤＡＡ）５０、電話機６０用のインタフェースモジュールであるサブスクライバラインインタフェース回路（ＳＬＩＣ）７０、緊急時に公衆電話回線ＰＴと電話機６０とを直接接続するメカニカルスイッチ８０などから構成されている。ＭＰＵ２０は、ＲＯＭやＲＡＭを内蔵し、予め用意されたプログラムを実行することにより、後述する各種制御、例えばＤＡＡ５０やＳＬＩＣ７０などの制御を行なうと元に、ＬＡＮコントローラ３５と協働して、ネットワークとの接続機能、即ちルータとしての機能も実現する。なお、これらの機能は、ＬＡＮ機能を有するネットワーク電話装置として周知のものなので、詳しい説明は省略する。
【００１３】
ＤＡＡ５０は、公衆電話回線ＰＴに流れるアナログ信号をデジタル信号に変換してＤＳＰ４０に出力し、あるいはＤＳＰ４０からのデジタル信号をアナログ信号に変換して公衆電話回線ＰＴに出力する回路である。ＤＡＡ５０とＤＳＰ４０との間は、１ビットのシリアル信号（ＰＣＭ）の形でデータがやり取りされる。同様に、ＳＬＩＣ７０は、電話ポート６１に接続された電話機６０のマイク６２から入力した音声信号をデジタル信号に変換して、１ビットのシリアル信号としてＤＳＰ４０に出力し、他方、ＤＳＰ４０からのシリアル信号を受け取って、これをアナログ信号に変換し、出力している。このアナログ信号は、電話機６０に出力され、電話機６０において利用される。アナログ信号には、音声信号も含まれるが、その他の制御信号も含まれている。電話機６０は、通常の電話用サービス、例えば、フリーダイヤル、ナンバーディスプレイ、ネームディスプレイ、ファクシミリ通信網との接続サービス、Ｌモード接続サービスなどに対応する機能を備えている。もとより、電話機６０にはテンキー６６やディスプレイ６８も設けられており、使用者は、電話機６０を用いて発呼操作も行なうことができる。こうしたテンキー６６やオンフックの信号も、ＳＬＩＣ７０を介してやりとりされている。
【００１４】
ネットワークインタフェース３０は、通常インタフェース回路であり、いわゆるＴＣＰ／ＩＰなどのプロトコルをサポートしている。いわゆるＩＰ電話機として機能する場合には、電話機６０からの音声信号を、ＳＬＩＣ７０によりデジタル信号に変換し、ＤＳＰ４０でエンコードし、これをＭＰＵ２０により、パケットにして、ネットワークインタフェース３０から、インターネットに流している。逆にインターネット経由で受け取ったパケットに、ＩＰ電話機としてのパケットが含まれていると、上記の経路とは逆の経路で、ネットワークインタフェース３０からＳＬＩＣまで信号は伝達され、スピーカ６４を鳴らしている。
【００１５】
次に図２を用いて、ＤＳＰ４０の内部構成について説明する。図２は、ＤＳＰ４０の内部構成を示すブロック図である。ＤＳＰ４０は、図示するように、ＤＡＡ５０，ＳＬＩＣ７０とのシリアル通信を司るＰＣＭインタフェース回路４１、ＰＣＭインタフェース回路４１とやり取りする信号からエコーキャンセルのための信号を取り出すエコーキャンセラ回路４２、エコーキャンセラ回路４２からの出力信号から呼び出し用のトーン信号を検出するトーン検出回路４３、同じくエコーキャンセラ回路４２から出力した音声信号を増幅器ＡＭＰにより増幅し音声用のエンコードを施す専用のコーディック回路４４、コーディック回路４４とＭＰＵインタフェース４５との間に設けられたパケットコントローラ４６、ＭＰＵインタフェース４５からの信号に基づいて呼び出し用のトーン信号を生成するトーンジェネレータ４７、ファックス信号を検出して専用のパケットを生成するファックス信号コントローラ４８、本発明の検出回路と接続回路の一部に相当するスルーモードコントローラ４９等を備える。
【００１６】
コーディック回路４４は、ＰＣＭ信号とパケットとのエンコードおよびデコードを行なう回路である。ＤＳＰ４０は、ＳＬＩＣ７０が扱うデジタル信号（１ビット）であるＰＣＭ信号と、ネットワーク側でＩＰ電話のプロトコルとして扱われるパケットとの間の変換を、このコーディック回路４４により行なう。具体的には、ＳＬＩＣ７０からエコーキャンセラ回路４２を介して受け取ったＰＣＭ信号を、コーディック回路４４により、ＩＰ電話として、ＴＣＰ／ＩＰのプロトコルにより扱うことが可能なパケットにエンコードし、ネットワーク側から受け取ったＩＰ電話としてのパケットを、最終的に電話機６０で再生するためのＰＣＭ信号にデコードするのである。コーディック回路４４は、こうしたパケットをパケットコントローラ４６およびＭＰＵインタフェース４５を介して、ＭＰＵ２０とやり取りし、結果的にネットワークを利用したＩＰ電話の機能を実現する。
【００１７】
次に、ＤＡＡ５０とＳＬＩＣ７０の回路構成およびメカニカルスイッチ８０の接続について説明する。図３は、ＤＡＡ５０およびＳＬＩＣ７０の内部構成を示すブロック図である。図示するように、ＤＡＡ５０は、２線の公衆電話回線ＰＴからポート５１を介して入力した信号を４線に分離する２／４線変換器５２、この２／４線変換器５２により分離された受話音声信号Ｒｘを入力し１ビットのデジタル信号に変換するＡ／Ｄ変換器であるＡＤＣ５３、ＤＳＰ４０と接続するためのＰＣＭインタフェース５４、ＰＣＭインタフェース５４を介してＤＳＰ４０側から受け取ったＰＣＭ信号をアナログの送話音声信号Ｔｘに変換するＤ／Ａ変換器であるＤＡＣ５５、公衆電話回線ＰＴの極性反転を検出する極性検出回路５６、公衆電話回線ＰＴを介した呼出信号を検出するリンギング検出回路５７、オンフックやダイヤルパルスなどの生成を行なう呼制御回路５８、これらの回路５６，５７，５８とＭＰＵ２０との間の制御信号を媒介するＳＰＩインタフェース５９を備える。
【００１８】
図３に示した回路では、公衆電話回線ＰＴを介して受け取った音声信号は、２／４線変換器５２，ＡＤＣ５３を介して、デジタル信号に変換され、ＰＣＭインタフェース５４による符号変調された信号としてＤＳＰ４０に出力される。また、ＤＳＰ４０からＰＣＭ信号として出力された音声信号は、この逆に、ＰＣＭインタフェース５４で受け取られ、ＤＡＣ５５によりアナログ信号に変換された後、２／４線変換器５２を介して公衆電話回線ＰＴへと出力される。従って、呼制御回路５８の働き等も伴うことで、ＤＡＡ５０は、公衆電話回線ＰＴ上の音声信号と、ＤＳＰ４０が取り扱うＰＣＭ信号との双方向の変換を行なうことができる。なお、公衆電話回線ＰＴから届く極性反転信号、被呼信号などは、極性検出回路５６やリンギング検出回路５７によっても検出されるが、音声信号と同様、２／４線変換器５２やＡＤＣ５３を介してデジタル信号に変換され、ＰＣＭインタフェース５４を介してＤＳＰ４０にも出力される。また、電話機６０の使用中は、公衆電話回線ＰＴからの着信を受けることはできないので、電話機６０の使用を検出したＭＰＵ２０からの信号により、ＳＰＩインタフェース５９を介して呼制御回路５８を動作させ、公衆電話回線ＰＴから見て、ＤＡＡ５０をビジー状態に保つ制御も行なっている。
【００１９】
他方、ＳＬＩＣ７０は、ＤＡＡ５０と同様、電話ポート６１にメカニカルスイッチ８０の接点を介して接続された２／４線変換器７２や、この２／４線変換器７２とＰＣＭインタフェース７４との間で、デジタル−アナログの変換をそれぞれの方向に行なうＡＤＣ７３とＤＡＣ７５を備える。またＳＬＩＣ７０は、この他、リング生成回路７８、ＳＰＩインタフェース７９、ＤＣ／ＤＣコンバータ７１などを備える。リング生成回路７８は、電話機６０を鳴動させるためのリング信号を生成する回路である。また、ＳＰＩインタフェース７９は、ＭＰＵ２０と信号をやり取りして、このリング生成回路７８などを所定のタイミングで動作させるインタフェース回路である。更に、ＤＣ／ＤＣコンバータ７１は、電話機６０の動作のために必要な４８ボルトあるいは９０ボルトの直流電圧を生成する回路である。
【００２０】
ＳＬＩＣ７０の２／４線変換器７２の出力は、上述したように、メカニカルスイッチ８０の接点を介して電話ポート６１に接続されている。このメカニカルスイッチ８０は、停電時などの緊急時に、電話機６０を公衆電話回線ＰＴに直接接続して使用可能とするために設けられている。メカニカルスイッチ８０は、２回路のトランスファー接点を備え、電源電圧が供給されている状態では、公衆電話回線ＰＴの信号線が接続された側の端子をオープン状態とし、電話ポート６１からの信号線を、ＳＬＩＣ７０の２／４線変換器７２に接続している。他方、停電などにより、メカニカルスイッチ８０への通電が遮断されると、接点は反対側に切り替わり、公衆電話回線ＰＴからの信号線が、電話ポート６１を介して電話機６０に直接接続された状態となる。この状態では、電話機６０から公衆電話回線ＰＴを介して、緊急時の電話を掛けることが可能となる。
【００２１】
次に、図４を用いて、スルーモードコントローラ４９の働きと、公衆電話回線ＰＴ側からの各種サービスの受け方について説明する。図４は、ＤＡＡ５０とＳＬＩＣ７０とのＰＣＭ信号線が、ＤＳＰ４０のＰＣＭインタフェース回路４１においてどのように接続され、スルーモードコントローラ４９によりコントロールされる様子を模式的に示した説明図である。先ず信号線の接続について説明する。ＤＡＡ５０から出力されるＰＣＭ信号は、ＰＣＭインタフェース回路４１を介してスルーモードコントローラ４９とに接続されると共に、ＰＣＭインタフェース回路４１内において、２入力アンドゲート９１の一方の入力端子に接続されている。この２入力アンドゲート９１の他方の入力端子には、スルーモードコントローラ４９からのコントロール信号が接続されている。２入力アンドゲート９１の出力は、２入力オアゲート９２の一方の入力端子に接続されている。この２入力オアゲート９２の他方の入力端子には、もう一つの２入力アンドゲート９３の出力が接続されている。この２入力アンドゲート９２は、一方の入力端子にコーディック回路４４から出力される信号（図示を省略したが、この信号は、ＰＣＭインタフェース回路４１によりＰＣＭ信号に変換された信号である）が接続されており、他方の入力端子には、スルーモードコントローラ４９からコントロール信号をインバータ９４により反転した信号が入力されている。
【００２２】
二つの２入力アンドゲート９１，９３のそれぞれ一つの入力端子には、インバータ９４により互いに状態が反転されたコントロール信号が入力されていることになるので、結局２つの２入力アンドゲート９１，９３の出力を入力とするオアゲート９２の出力は、２入力アンドゲート９１，９３の他方の入力信号、即ちＤＡＡ５０から出力されているＰＣＭ信号か、コーディック回路４４から出力されるＰＣＭ信号かのいずれかが、択一的に出力されることになる。この信号が、ＳＬＩＣ７０に入力されるＰＣＭ信号となる。
【００２３】
他方、ＳＬＩＣ７０から出力されるＰＣＭ信号は、二つの２入力アンドゲート９６，９７のそれぞれ一方の入力端子に接続されている。これら二つの２入力アンドゲート９６，９７のそれぞれ他方の入力端子には、スルーモードコントローラ４９から出力されるコントロール信号とこれをインバータ９８により反転した信号が接続されている。従って、これら２つの２入力ＡＮＤゲート９７，９８およびインバータ９４は、スルーモードコントローラ４９からのコントロール信号の状態により択一的に信号を出力する、いわばセレクタとして機能する。従って、ＳＬＩＣ７０から出力されるＰＣＭ信号は、スルーモードコントローラ４９が出力するコントロール信号により、直接ＤＡＡ５０に入力されるＰＣＭ信号となるか、ＤＳＰ４０のエコーキャンセラ回路４２に出力されるか、いずれかとなる。
【００２４】
スルーモードコントローラ４９は、ＤＡＡ５０から出力されるＰＣＭ信号が常時入力されているから、スルーモードコントローラ４９はこの信号を監視することにより、公衆電話回線ＰＴ側の状態を容易に把握することができる。通常、ＤＡＡ５０は、公衆電話回線ＰＴ側に着信すると、回線の極性が反転するのでこれを検出し、ＳＰＩインタフェース５９を介してＭＰＵ２０に伝えると共に、極性反転が起きたことを、ＡＤＣ５３によりデジタル信号に変換し、ＰＣＭインタフェース５４により所定の符号に変換し、ＰＣＭ信号として出力する。スルーモードコントローラ４９は、この符号を検出すると、それまでインアクティブ（ロウレベル）だったコントロール信号を、アクティブ（ハイレベル）に反転する。スルーモードコントローラ４９から出力されるコントロール信号が、インアクティブ、即ちロウレベルであれば、２入力アンドゲート９１，９６の出力は無効となり、２入力アンドゲート９３，９７の出力は有効となっている。この結果、図５に示したように、ＳＬＩＣ７０のＰＣＭ信号は、ＤＳＰ４０とのみ接続された状態となる。この状態から、スルーモードコントローラ４９のコントロール信号がアクティブ、即ちハイレベル）に反転すると、ＳＬＩＣ７０のＰＣＭ信号は、図６に示したように、ＤＡＡ５０に直接接続された状態となる。しかもこのとき、メカニカルスイッチ８０での切り換えとは異なり、ＰＣＭ信号の流れを切り換えているので、公衆電話回線から見てインピーダンスの変化などを生じることがない。このため、公衆電話回線ＰＴを操作している交換機側で誤動作などが生じることがない。
【００２５】
図６に示した状態では、公衆電話回線ＰＴから着信する総ての信号が、ＤＡＡ５０により一旦ＰＣＭ信号に変換され、ＰＣＭインタフェース回路４１を介してそのままＳＬＩＣ７０に出力される。ＳＬＩＣ７０は、ＰＣＭ信号から、もとの信号を復調し、これを電話機６０に出力する。従って、公衆電話回線ＰＴを介して提供されるネームディスプレイやファクシミリ通信網との接続などの各種サービスは、すべて、これらの機能に対応した電話機６０により処理されることになる。もともとこれらのサービスは、電話機６０側にその機能が備えられていて初めて使用できるものなので、ＤＡＡ５０からＳＬＩＣ７０に、総ての信号をスルーする構成として、何ら差し支えない。この結果、各種サービスに対応して信号の解析をＤＳＰ４０側、あるいはＭＰＵ２０側で行なう必要がなく、これらの解析を行なうためのソフトウェアなどを省略することができる。
【００２６】
本実施例では、ナンバーディスプレイのサービスは、ＭＰＵ２０が判断して、着信拒否などを行なうので、ＤＡＡ５０から出力されるＰＣＭ信号を常時ＭＰＵ２０側で監視する構成としている（図４参照）。こうした対応を取ることは、何ら差し支えない。また、かかる構成を採用することにより、ＭＰＵ２０側では、ＤＡＡ５０の状態を把握することができるので、サービスの不慮の中断などが生じたとき、迅速かつ的確に対応することも可能となる。また、本実施例では、ＤＡＡ５０が出力するＰＣＭ信号をスルーモードコントローラ４９が読み取って、コントロール信号を直接切り換える構成としたが、スルーモードコントローラ４９の機能をＭＰＵ２０に持たせても良い。ネットワークを介して通話を行なっている場合、いわゆるＩＰ電話として電話機６０を使用している場合には、公衆電話回線ＰＴからの着信は通常受けられないが、こうした場合に話し中であるとして対応するのは、図３に示した呼制御回路５８を、ＭＰＵ２０側から制御して、公衆電話回線ＰＴ側をビジーとすればよい。もとより、ＤＡＡ５０から出力されるＰＣＭ信号を監視して、一旦着信を受けてから、話し中である旨の応答をするよう構成してもよい。
【００２７】
以上、本発明の一実施例について説明したが、本発明はこうした実施例に限定されるものではなく、本発明の要旨を変更しない範囲内において、種々なる態様で実施し得ることは勿論である。例えば、本実施例では、ＤＡＡ５０とＳＬＩＣ７０の間のＰＣＭ信号の切換は、論理回路を用いて構成したが、アナログスイッチやデータセレクタなどで構成することも可能である。
【図面の簡単な説明】
【００２８】
【図１】本発明の一実施例であるネットワーク電話装置１０の概略構成を示すブロック図である。
【図２】ＤＳＰ４０の内部構成を示すブロック図である。
【図３】ＤＡＡ５０とＳＬＩＣ７０の内部構成およびメカニカルスイッチ８０による接続の状況を示すブロック図である。
【図４】ＤＡＡ５０とＳＬＩＣ７０とをＰＣＭ信号により接続する回路構成の一例を示す回路図である。
【図５】通常時のＰＣＭ信号の接続状態を示す説明図である。
【図６】公衆電話回線ＰＴ側から着信した場合のＰＣＭ信号の接続状態を示す説明図である。
【符号の説明】
【００２９】
１０…ネットワーク電話装置
２０…ＭＰＵ
３０…ネットワークインタフェース
３５…ＬＡＮコントローラ
４０…デジタルシグナルプロセッサ（ＤＳＰ）
４１…ＰＣＭインタフェース回路
４２…エコーキャンセラ回路
４３…トーン検出回路
４４…コーディック回路
４５…ＭＰＵインタフェース
４６…パケットコントローラ
４７…トーンジェネレータ
４８…ファックス信号コントローラ
４９…スルーモードコントローラ
５０…ＤＡＡ
５１…ポート
５３…ＡＤＣ
５４…ＰＣＭインタフェース
５４…ＰＣＭインタフェース回路
５５…ＤＡＣ
５６…極性検出回路
５７…リンギング検出回路
５８…呼制御回路
５９…ＳＰＩインタフェース
６０…電話機
６１…電話ポート
６２…マイク
６４…スピーカ
６６…テンキー
７０…ＳＬＩＣ
７１…ＤＣ／ＤＣコンバータ
７３…ＡＤＣ
７４…ＰＣＭインタフェース
７５…ＤＡＣ
７８…リング生成回路
７９…ＳＰＩインタフェース
８０…メカニカルスイッチ
９１，９３，９６，９７…２入力アンドゲート
９２…オアゲート
９４，９８…インバータ
ＡＭＰ…増幅器
ＰＴ…公衆電話回線
Ｒｘ…受話音声信号
Ｔｘ…送話音声信号
【図１】
2005217512.tif 000003
【図２】
2005217512.tif 000004
【図３】
2005217512.tif 000005
【図４】
2005217512.tif 000006
【図５】
2005217512.tif 000007
【図６】
2005217512.tif 000008